(57)【要約】  【課題】  糸切りコマンドを含まない刺繍データであっても、何ら編集処理することなく有効活用でき、しかも渡り糸を切除する糸始末作業を省略でき、縫製作業の作業性を改善できるようにすること。  【解決手段】    縫製に供する刺繍模様の刺繍データについて、フィードデータを検出したときに（Ｓ33：Yes ）、３針分の刺繍データで止め縫いデータが構成されていない場合には（Ｓ35：No）、止め縫いが実行され（Ｓ36）、糸切りされる（Ｓ37）。フィードデータが複数連続する場合には、総フィード量（総布送り量）が累積され（Ｓ38〜41）、次の刺繍領域の刺繍縫いを開始するに際して、次の刺繍領域の縫い開始位置へ最短距離で一気に布送りが実行され（Ｓ42）、その縫い開始位置において止め縫いが再度実行され（Ｓ43）、次の刺繍領域の刺繍縫いが実行される（Ｓ44）。【選択図】  図６
2006034676.tif 000002
【特許請求の範囲】
【請求項１】
縫製手段と布送り手段と糸切り手段を備えた刺繍ミシンを制御する制御装置において、  前記縫製手段と前記布送り手段により刺繍縫いを行うための刺繍データであって、縫目を形成するための針落ち点を指示するステッチデータと布送りを指示するフィードデータとを含む刺繍データを記憶する刺繍データ記憶手段と、
前記刺繍データ記憶手段から読み込まれた刺繍データ中の前記フィードデータを抽出するフィードデータ抽出手段と、
前記フィードデータ抽出手段によりフィードデータが抽出された場合、そのフィードデータの直前に前記糸切り手段により糸切りを実行させるための糸切りデータを付加する糸切りデータ付加手段と、
を備えたことを特徴とする刺繍ミシンの制御装置。
【請求項２】
前記刺繍データは複数の刺繍領域に関して刺繍縫いを行うための複数群の刺繍データより構成され、前記フィードデータ抽出手段は前記縫製手段による刺繍縫製中における各刺繍領域の縫製終了時に、前記フィードデータがあるか否かを検出することを特徴とする請求項１に記載の刺繍ミシンの制御装置。
【請求項３】
前記糸切りデータ付加手段により付加された糸切りデータに基づく前記糸切り手段による糸切り動作の実行直前と、前記フィードデータ抽出手段により抽出された前記フィードデータに基づく前記布送り手段による布送り動作の実行直後との少なくとも一方に、前記縫製手段により止め縫いを実行させるための止め縫いデータを付加する止め縫いデータ付加手段を備えたことを特徴とする請求項１又は２に記載の刺繍ミシンの制御装置。
【請求項４】
前記フィードデータ抽出手段により前記刺繍データ中に複数のフィードデータが抽出された場合に、抽出されたフィードデータ間のステッチデータの数を計数する計数手段と、  前記計数手段により計数されたステッチデータの数が所定数より少ないか否かを検出する検出手段と、
前記検出手段により前記所定数より少ない検出結果を受けた場合、前記フィードデータ間の全てのステッチデータを前記刺繍データより削除する削除手段と、
を備えたことを特徴とする請求項１〜３の何れかに記載の刺繍ミシンの制御装置。
【請求項５】
前記フィードデータ抽出手段により連続する複数のフィードデータが抽出された場合に、最初のフィードデータに基づくフィード開始位置から最後のフィードデータに基づくフィード実行位置に、直接布送りさせるように前記布送り手段を制御する布送り制御手段を備えたことを特徴とする請求項１〜４の何れかに記載の刺繍ミシンの制御装置。
【請求項６】
縫製手段と布送り手段と糸切り手段を備えた刺繍ミシンを制御する制御装置において、  前記縫製手段と前記布送り手段により刺繍縫いを行うための刺繍データであって、縫目を形成するための針落ち点を指示するステッチデータを含む刺繍データを記憶する刺繍データ記憶手段と、
前記刺繍データ記憶手段から読み込まれた刺繍データにおいて、ステッチデータにより形成される縫目の長さが所定長さより長いフィード的なステッチデータを抽出するステッチデータ抽出手段と、
前記ステッチデータ抽出手段により前記フィード的なステッチデータが抽出された場合、そのフィード的なステッチデータの直前に前記糸切り手段により糸切りを実行させるための糸切りデータを付加する糸切りデータ付加手段と、
を備えたことを特徴とする刺繍ミシンの制御装置。
【請求項７】
前記刺繍データは複数の刺繍領域に関して刺繍縫いを行うための複数群の刺繍データで構成され、前記ステッチデータ抽出手段は前記縫製手段による各刺繍領域の縫製終了時に、前記フィード的なデータがあるか否かを検出することを特徴とする請求項６に記載の刺繍ミシンの制御装置。
【請求項８】
前記糸切りデータ付加手段により付加された糸切りデータに基づく前記糸切り手段による糸切り動作の実行直前と、前記ステッチデータ抽出手段により抽出された前記フィード的なステッチデータに基づく前記布送り手段による布送り動作の実行直後との少なくとも一方に、前記縫製手段により止め縫いを実行させるための止め縫いデータを付加する止め縫いデータ付加手段を備えたことを特徴とする請求項６又は７に記載の刺繍ミシンの制御装置。
【請求項９】
前記ステッチデータ抽出手段により前記刺繍データ中に複数のフィード的なステッチデータが抽出された場合に、抽出されたフィード的なステッチデータ間に含まれる縫目形成用のステッチデータの数を計数する計数手段と、
前記計数手段により計数された縫目形成用のステッチデータの数が所定数より少ないか否かを検出する検出手段と、
前記検出手段により前記所定数より少ない検出結果を受けた場合、前記フィード的なステッチデータ間に含まれる全ての縫目形成用のステッチデータを前記刺繍データより削除する削除手段と、
を備えたことを特徴とする請求項６〜８の何れかに記載の刺繍ミシンの制御装置。
【請求項１０】
前記ステッチデータ抽出手段により連続する複数のフィード的なステッチデータが抽出された場合に、最初のフィード的なステッチデータに基づくフィード開始位置から最後のフィード的なステッチデータに基づくフィード実行位置に、直接布送りさせるように前記布送り手段を制御する布送り制御手段を備えたことを特徴とする請求項６〜９の何れかに記載の刺繍ミシンの制御装置。
【発明の詳細な説明】
【技術分野】
【０００１】
本発明は、刺繍ミシンの制御装置に関し、特に針落ち点を指示する複数のステッチデータや布送りのためのフィードデータ又はフィード的なステッチデータを混在させた刺繍データに基づいて、フィードデータ又はフィード的なステッチデータにより複数の刺繍領域が点在する場合に、刺繍領域毎に強制的に糸切りでき、渡り糸を省略するようにしたものに関する。
【背景技術】
【０００２】
最近、布地を保持した刺繍枠を直交する２方向に夫々移動駆動しながら刺繍縫目を形成する刺繍ミシンにおいては、刺繍データ記憶メモリに予め記憶した複数種類の刺繍模様の刺繍データに基づいて、選択した所望の刺繍模様を刺繍縫い可能になっている。
【０００３】
例えば、特開平１０−１３７４７７号公報に記載のミシンは、ベッド部内に糸切り機構を設け、複数の刺繍領域を糸色を変えながら順々に刺繍縫いする場合に、各刺繍領域毎の刺繍データの最終部に糸切りデータを設けておき、刺繍領域を刺繍縫いする毎に糸切りを実行するようになっている（例えば、特許文献１参照）。
【０００４】
このような刺繍ミシンにおいては、同一の糸色で縫製される複数の縫製領域を縫製する場合に、各刺繍領域毎の刺繍データの最終部に糸切りデータを設けておき、各刺繍領域の縫製終了時に糸切りを行うようにすれば、連続して縫製する領域間が刺繍糸で繋がらないようにできるため、ミシンの作業者が刺繍縫製の終了後に領域間に渡る渡り糸を切除するといった作業を省略でき、刺繍縫い作業の迅速化が図られている。
【０００５】
ところで、従来の刺繍ミシンにおいては、ベッド部内に糸切り機構が設けられているような場合であっても、糸切り後の上糸を払うワイパーを装備していないため、同色の糸で縫製される複数の領域の刺繍縫いの途中部で刺繍糸を切断することが不可能であり、このような領域の刺繍データに糸切りコマンドを含ませるようにはなっていない。
【０００６】
そこで、従来においては、例えば、既に刺繍縫いした刺繍領域を飛び越して、同色の糸で別の刺繍領域に刺繍縫いするような場合には、フィードデータでもって迂回させる等して、その刺繍領域と干渉しないように刺繍縫目を形成するようにしている。
【０００７】
このように、古い刺繍データに関しては、同色の糸にて縫製される刺繍領域毎のステッチデータにフィードデータを付随的に設けるようにしてあり、糸切り指令である切り糸切りコマンドは一切設けられてはいない。
【特許文献１】特開平１０−１３７４７７号公報  （第３〜５頁、図２〜図３）
【発明の開示】
【発明が解決しようとする課題】
【０００８】
一般に、古くから営業を営んでいる縫製工場においては、このような糸切りコマンドを一切含まない刺繍データを数多く所有しているため、糸切り機構やワイパーを装備した新しい刺繍ミシンを購入しても、刺繍縫い途中で必要に応じて糸切りしたくてもできず、同色の糸で連続的に縫製する複数の刺繍領域の縫い終了後に、渡り糸を切除する糸切り作業が不可欠であり、縫製作業の作業性が低下するという問題がある。
【０００９】
そこで、糸切りコマンドを含まない旧式の刺繍データを編集処理して、糸切りコマンドを適宜挿入することが考えられ、或いは、糸切りコマンドを含む刺繍データを新規に購入することが考えられるが、複数色を用いた多数の刺繍領域からなる刺繍データは、編集するにしても、購入する場合でも、非常に高価であるため、高額の投資を強いられること、在庫として所有する刺繍データを有効に活用できないこと、等の問題がある。
【課題を解決するための手段】
【００１０】
請求項１に係る刺繍ミシンの制御装置は、縫製手段と布送り手段と糸切り手段を備えた刺繍ミシンを制御する制御装置において、縫製手段と布送り手段により刺繍縫いを行うための刺繍データであって、縫目を形成するための針落ち点を指示するステッチデータと布送りを指示するフィードデータとを含む刺繍データを記憶する刺繍データ記憶手段と、刺繍データ記憶手段から読み込まれた刺繍データ中の前記フィードデータを抽出するフィードデータ抽出手段と、フィードデータ抽出手段によりフィードデータが抽出された場合、そのフィードデータの直前に糸切り手段により糸切りを実行させるための糸切りデータを付加する糸切りデータ付加手段とを備えたものである。
【００１１】
請求項２に係る刺繍ミシンの制御装置は、請求項１の発明において、前記刺繍データは複数の刺繍領域に関して刺繍縫いを行うための複数群の刺繍データより構成され、フィードデータ抽出手段は縫製手段による刺繍縫製中における各刺繍領域の縫製終了時に、フィードデータがあるか否かを検出するものである。
【００１２】
請求項３に係る刺繍ミシンの制御装置は、請求項１又は２の発明において、前記糸切りデータ付加手段により付加された糸切りデータに基づく糸切り手段による糸切り動作の実行直前と、フィードデータ抽出手段により抽出されたフィードデータに基づく布送り手段による布送り動作の実行直後との少なくとも一方に、縫製手段により止め縫いを実行させるための止め縫いデータを付加する止め縫いデータ付加手段を備えたものである。
【００１３】
請求項４に係る刺繍ミシンの制御装置は、請求項１〜３の何れかの発明において、前記フィードデータ抽出手段により刺繍データ中に複数のフィードデータが抽出された場合に、抽出されたフィードデータ間のステッチデータの数を計数する計数手段と、計数手段により計数されたステッチデータの数が所定数より少ないか否かを検出する検出手段と、検出手段により所定数より少ない検出結果を受けた場合、フィードデータ間の全てのステッチデータを刺繍データより削除する削除手段とを備えたものである。
【００１４】
請求項５に係る刺繍ミシンの制御装置は、請求項１〜４の何れかの発明において、前記フィードデータ抽出手段により連続する複数のフィードデータが抽出された場合に、最初のフィードデータに基づくフィード開始位置から最後のフィードデータに基づくフィード実行位置に、直接布送りさせるように布送り手段を制御する布送り制御手段を備えたものである。
【００１５】
請求項６に係る刺繍ミシンの制御装置は、縫製手段と布送り手段と糸切り手段を備えた刺繍ミシンを制御する制御装置において、縫製手段と布送り手段により刺繍縫いを行うための刺繍データであって、縫目を形成するための針落ち点を指示するステッチデータを含む刺繍データを記憶する刺繍データ記憶手段と、刺繍データ記憶手段から読み込まれた刺繍データにおいて、ステッチデータにより形成される縫目の長さが所定長さより長いフィード的なステッチデータを抽出するステッチデータ抽出手段と、ステッチデータ抽出手段によりフィード的なステッチデータが抽出された場合、そのフィード的なステッチデータの直前に糸切り手段により糸切りを実行させるための糸切りデータを付加する糸切りデータ付加手段とを備えたものである。
【００１６】
請求項７に係る刺繍ミシンの制御装置は、請求項６の発明において、前記刺繍データは複数の刺繍領域に関して刺繍縫いを行うための複数群の刺繍データで構成され、ステッチデータ抽出手段は縫製手段による各刺繍領域の縫製終了時に、フィード的なデータがあるか否かを検出するものである。
【００１７】
請求項８に係る刺繍ミシンの制御装置は、請求項６又は７の発明において、前記糸切りデータ付加手段により付加された糸切りデータに基づく糸切り手段による糸切り動作の実行直前と、ステッチデータ抽出手段により抽出されたフィード的なステッチデータに基づく布送り手段による布送り動作の実行直後との少なくとも一方に、縫製手段により止め縫いを実行させるための止め縫いデータを付加する止め縫いデータ付加手段を備えたものである。
【００１８】
請求項９に係る刺繍ミシンの制御装置は、請求項６〜８の何れかの発明において、前記ステッチデータ抽出手段により刺繍データ中に複数のフィード的なステッチデータが抽出された場合に、抽出されたフィード的なステッチデータ間に含まれる縫目形成用のステッチデータの数を計数する計数手段と、計数手段により計数された縫目形成用のステッチデータの数が所定数より少ないか否かを検出する検出手段と、検出手段により所定数より少ない検出結果を受けた場合、フィード的なステッチデータ間に含まれる全ての縫目形成用のステッチデータを刺繍データより削除する削除手段とを備えたものである。
【００１９】
請求項１０に係る刺繍ミシンの制御装置は、請求項６〜９の何れかの発明において、前記ステッチデータ抽出手段により連続する複数のフィード的なステッチデータが抽出された場合に、最初のフィード的なステッチデータに基づくフィード開始位置から最後のフィード的なステッチデータに基づくフィード実行位置に、直接布送りさせるように布送り手段を制御する布送り制御手段を備えたものである。
【発明の効果】
【００２０】
請求項１の発明によれば、縫製手段と布送り手段と糸切り手段を備えた刺繍ミシンを制御する制御装置において、刺繍データ記憶手段と、フィードデータ抽出手段と、糸切りデータ付加手段とを設けたので、縫製に供する刺繍データ中にフィードデータを検出した場合に、そのフィードデータの直前に糸切り指令データがない場合であっても、糸切りデータが自動的に付加されて、糸切り手段により糸切りが実行されるので、刺繍データを何ら編集することなく、フィードデータにより渡り糸が発生するような場合でも、糸切りにより渡り糸の発生を防止することができ、糸始末作業の省略化が図れるため、縫製作業の作業性を高めることができる。
【００２１】
請求項２の発明によれば、前記刺繍データは複数の刺繍領域に関して刺繍縫いを行うための複数群の刺繍データより構成され、フィードデータ抽出手段は縫製手段による刺繍縫製中における各刺繍領域の縫製終了時に、フィードデータがあるか否かを検出するので、縫製手段により縫製を実行しながら、各刺繍領域の縫製を終了する毎に、フィードデータの有無検出を実行することができる。その他請求項１と同様の効果を奏する。
【００２２】
請求項３の発明によれば、前記糸切りデータ付加手段により付加された糸切りデータに基づく糸切り手段による糸切り動作の実行直前と、フィードデータ抽出手段により抽出されたフィードデータに基づく布送り手段による布送り動作の実行直後との少なくとも一方に、縫製手段により止め縫いを実行させるための止め縫いデータを付加する止め縫いデータ付加手段を備えたので、布送りフィードする直前で糸切りされた場合でも、糸切り動作の実行直前の止め縫いにより、刺繍糸のほつけを確実に防止することができ、しかも布送りフィード実行直後の縫い開始位置においても、止め縫いにより刺繍糸のほつけを確実に防止することができる。その他請求項１又は２と同様の効果を奏する。
【００２３】
請求項４の発明によれば、前記フィードデータ抽出手段により刺繍データ中に複数のフィードデータが抽出された場合に、抽出されたフィードデータ間のステッチデータの数を計数する計数手段と、計数手段により計数されたステッチデータの数が所定数より少ないか否かを検出する検出手段と、検出手段により所定数より少ない検出結果を受けた場合、フィードデータ間の全てのステッチデータを刺繍データより削除する削除手段とを備えたので、フィードデータ間にステッチデータが含まれる場合でも、そのステッチデータの数が所定数より少ない場合、縫目形成のためのステッチデータでないため、その縫目形成に供さない不要なステッチデータを刺繍データから削除でき、刺繍縫い時における不要な針落ち動作を防止して、縫製作業の迅速化を図ることができる。その他請求項１〜３の何れかと同様の効果を奏する。
【００２４】
請求項５の発明によれば、前記フィードデータ抽出手段により連続する複数のフィードデータが抽出された場合に、最初のフィードデータに基づくフィード開始位置から最後のフィードデータに基づくフィード実行位置に、直接布送りさせるように布送り手段を制御する布送り制御手段を備えたので、特に布送り用のフィードデータが複数設けられた場合であっても、布送り途中に迂回するような余分な布送りを回避して最短距離で布送りでき、縫製作業の迅速化を図ることができる。その他請求項１〜４の何れかと同様の効果を奏する。
【００２５】
請求項６の発明によれば、縫製手段と布送り手段と糸切り手段を備えた刺繍ミシンを制御する制御装置において、刺繍データ記憶手段と、ステッチデータ抽出手段と、糸切りデータ付加手段とを設けたので、縫製に供する刺繍データ中にフィード的なステッチデータを検出した場合に、そのフィード的なステッチデータの直前に糸切り指令データがない場合であっても、糸切りデータが自動的に付加されて、糸切り手段により糸切りが実行されるので、刺繍データを何ら編集することなく、フィード的なステッチデータにより渡り糸が発生するような場合でも、糸切りにより渡り糸の発生を防止することができ、糸始末作業の省略化が図れるため、縫製作業の作業性を高めることができる。
【００２６】
請求項７の発明によれば、前記刺繍データは複数の刺繍領域に関して刺繍縫いを行うための複数群の刺繍データで構成され、ステッチデータ抽出手段は縫製手段による各刺繍領域の縫製終了時に、フィード的なデータがあるか否かを検出するので、縫製手段により縫製を実行しながら、各刺繍領域の縫製を終了する毎に、フィード手となステッチデータの有無検出を実行することができる。その他請求項６と同様の効果を奏する。
【００２７】
請求項８の発明によれば、前記糸切りデータ付加手段により付加された糸切りデータに基づく糸切り手段による糸切り動作の実行直前と、ステッチデータ抽出手段により抽出されたフィード的なステッチデータに基づく布送り手段による布送り動作の実行直後との少なくとも一方に、縫製手段により止め縫いを実行させるための止め縫いデータを付加する止め縫いデータ付加手段を備えたので、縫製手段により縫製を実行しながら、各刺繍領域の縫製を終了する毎に、フィード的なステッチデータの有無検出を実行することができる。その他請求項６又は７と同様の効果を奏する。
【００２８】
請求項９の発明によれば、前記ステッチデータ抽出手段により刺繍データ中に複数のフィード的なステッチデータが抽出された場合に、抽出されたフィード的なステッチデータ間に含まれる縫目形成用のステッチデータの数を計数する計数手段と、計数手段により計数された縫目形成用のステッチデータの数が所定数より少ないか否かを検出する検出手段と、検出手段により所定数より少ない検出結果を受けた場合、フィード的なステッチデータ間に含まれる全ての縫目形成用のステッチデータを刺繍データより削除する削除手段とを備えたので、フィード的なステッチデータ間に目形成用のステッチデータが含まれる場合でも、そのステッチデータの数が所定数より少ない場合、縫目形成のためのステッチデータでないため、その縫目形成に供さない不要なステッチデータを刺繍データから削除でき、刺繍縫い時における不要な針落ち動作を防止して、縫製作業の迅速化を図ることができる。その他請求項６〜８の何れかと同様の効果を奏する。
【００２９】
請求項１０の発明によれば、前記ステッチデータ抽出手段により連続する複数のフィード的なステッチデータが抽出された場合に、最初のフィード的なステッチデータに基づくフィード開始位置から最後のフィード的なステッチデータに基づくフィード実行位置に、直接布送りさせるように布送り手段を制御する布送り制御手段を備えたので、特に布送り用のフィード的なステッチデータが複数設けられた場合であっても、布送り途中に迂回するような余分な布送りを回避して最短距離で布送りでき、縫製作業の迅速化を図ることができる。その他請求項６〜９の何れかと同様の効果を奏する。
【発明を実施するための最良の形態】
【００３０】
本実施形態における刺繍ミシンの制御装置は、糸切りデータを含まない刺繍データを用いた刺繍縫いに際して、フィードデータで布送りされる縫製位置に糸切りと止め縫いを実行し、フィードデータにより布送りされた後の縫い開始位置でも止め縫いを実行でき、糸切りデータを含まない刺繍データを有効活用でき、縫製作業の能率化を高めることができるようにしてある。
【実施例】
【００３１】
先ず、図１に示すように、刺繍縫いが可能な刺繍ミシンＭについて、簡単に説明する。この刺繍ミシンＭは、通常の家庭用の電子制御ミシンと同様のもので、ベッド部１と、ベッド部１の右端部から立設された脚柱部２と、脚柱部２の上端からミシンベッド部１に対向するように左方へ延びるアーム部３を有する。
【００３２】
ベッド部１の針板１ａの下側には、送り歯を上下動させる送り歯上下動機構（図示略）及び前後動させる送り歯前後動機構（図示略）に加えて、後述するように、下糸ボビンを収容し縫針６と協働する全回転釜、後述する糸切り機構７等が設けられている。
【００３３】
脚柱部２の前面には、大型でカラーの液晶ディスプレイ（以下、単にカラーディスプレイという）１０が設けられ、このカラーディスプレイ１０には、実用模様や刺繍模様等の種々の縫目模様、縫製作業に必要な各種の機能を実行させる機能名、更には各種のメッセージ等が表示される。
【００３４】
このカラーディスプレイ１０の前面には、複数の実用模様や刺繍模様の模様名や各種の機能を実行させる機能名、送り量や針振り量等の各種設定画面における数値設定等の表示位置の各々に対応させて、透明電極からなるタッチキー１１をマトリックス状に設けた操作パネルが設けられている。それ故、縫製に供する所望の刺繍模様の選択や機能の指示や数値設定が、これら設定画面に表示される刺繍模様や設定画面に対応するタッチキー１１を押圧操作することで実現することができる。
【００３５】
アーム部３には、ミシンモータ５２で回転駆動される左右方向に延びるミシン主軸（図示略）と、このミシン主軸を作業者により手動操作で回転可能なハンドプーリ８と、下端に縫針６を装着した針棒５を上下動させる針棒駆動機構と、針棒５を布送り方向と直交する方向に揺動させる針棒揺動機構（図示略）と、天秤を針棒５の上下動に調時して上下動させる天秤駆動機構（図示略）等が設けられている。
【００３６】
アーム部３の前面側には、縫製作業の起動と停止を指令する起動停止スイッチ１２等が設けられている。更に、アーム部３の頭部に、糸切りした上糸をワイパーを駆動させて払うためのワイパー機構が設けられているが、その詳しい説明を省略する。
【００３７】
尚、送り歯上下動機構と針棒上下動機構とは、ミシンモータ５２で回転されるミシン主軸により駆動されるが、針棒揺動機構は針棒揺動用ステッピングモータ５３で独立して駆動されるとともに、送り歯前後動機構は送り歯前後駆動用ステッピングモータ５４で独立的に駆動される（図３参照）
【００３８】
ところで、ベッド部１の左端側部分に、刺繍枠を用いた刺繍縫いのための刺繍枠駆動機構１５が着脱可能に装着される。刺繍枠駆動機構１５には、刺繍枠（図示略）をＸ方向（左右方向）とＹ方向（前後方向）に夫々独立に駆動する。
【００３９】
それ故、刺繍枠駆動機構１５には、Ｙ方向駆動機構を内蔵したＹ方向駆動部１７と、これをＸ方向（左右方向）へ駆動するＸ方向駆動機構と、Ｘ方向駆動機構を駆動するＸ送りモータ１８（図３参照）と、Ｙ方向駆動機構を駆動するＹ送りモータ１９（図３参照）とが設けられている。
【００４０】
刺繍枠駆動機構１５がベッド部１の左側に装着されると、実用縫いモードに代えて刺繍縫いモードが設定され、Ｘ送りモータ１８とＹ送りモータ１９とがコネクタ４０ａを介して刺繍ミシンＭの制御装置３０の出力インターフェース３６に電気的に接続され、制御装置３０によりＸ及びＹ送りモータ１８，１９が夫々独立して駆動制御される。
【００４１】
次に、ベッド部１内に設けられた糸切り機構７（これが糸切り手段に相当する）について、図２に基づいて簡単に説明する。
【００４２】
図２に示すように、針板１ａの略中央部に円形の針穴板２０が嵌め込まれ、針穴板２０の側部の下側に、平面視略Ｌ字形状の固定刃部材２１がビス２２で固定され、その固定刃部材２１の先端部が下方に曲げ形成され、所定幅を有する固定刃２１ａが下向きに形成されている。
【００４３】
針穴板２１の固定刃部材２１と反対側に、可動刃部材２３が段付きボルト２４により、下側から往復回動可能に枢支されている。可動刃部材２３は、その先端近傍部に可動刃２３ａが形成されている。
【００４４】
可動刃部材２３の基端部（右端部）には、図示しない糸切り駆動機構から延びる糸切り連竿２５の先端部がピン２６により回動可能に連結されている。そこで、糸切り連竿２５の左右往復移動により、可動刃部材２３は、図２に示す待機位置から所定角度だけ往方向（反時計方向）に回動して上糸をさばいてから、所定角度だけ復方向（時計方向）に復帰回動される。その復帰回動の途中で、上糸と下糸とが可動刃２３ａと固定刃２１ａとの協働で同時に切断される。
【００４５】
次に、刺繍ミシンＭの制御系について説明すると、図３に示すように、制御装置３０は、入力インターフェース３１と、ＣＰＵ３２とＲＯＭ３３及びＲＡＭ３４と電気的に書換え可能な不揮発性のフラッシュメモリ３５とを含むコンピュータと、出力インターフェース３６と、これらを相互に接続するデータバス等のバス３７と、ミシンモータ４２の為の駆動回路３８と、針棒揺動用ステッピングモータ４３の為の駆動回路３９と、送り歯駆動用ステッピングモータ４４の為の駆動回路４０と、Ｘ送りモータ１８及びＹ送りモータ１９の為の駆動回路４１等を有する。
【００４６】
入力インターフェース３１には、起動停止スイッチ１２と、タッチキーを有する操作パネル１１等が接続されている。出力インターフェース３６には、これらモータ４２〜４４の為の駆動回路３８〜４０と、カラーディスプレイ（ＬＣＤ）１０の為のディスプレイコントローラ（ＬＣＤＣ）４５と、刺繍枠駆動機構１５のＸ送りモータ１８とＹ送りモータ１９の為の駆動回路４１とが接続されている。
【００４７】
ＲＯＭ３３には、各種の駆動機構を駆動制御するとともに、実用模様や刺繍模様を選択する模様選択制御等を含むミシン制御プログラム、本願特有の後述する展開制御の制御プログラム、刺繍データ縫製制御の制御プログラム等が予め格納されている。ＲＯＭ３３の刺繍データメモリ３３ａには、複数種類の実用模様のための縫製データや、複数種類の刺繍模様のための刺繍データが模様番号毎に記憶されている。
【００４８】
例えば、図７に示す３つの刺繍領域Ｈ１〜Ｈ３からなる刺繍模様については、その一部の刺繍データを図４に示すように、多数のステッチデータや複数のフィードデータが、各刺繍領域Ｈ１〜Ｈ３毎に順々に記憶されている。但し、図４に示す刺繍データのように、糸切りデータを含まず、その代わり、例えば、刺繍領域Ｈ１と刺繍領域Ｈ２の間には、複数のフィードデータ１〜フィードデータ３が格納されている。
【００４９】
ＲＡＭ３４には、ＣＰＵ３２で演算処理した演算結果を収容する各種メモリ、ポインタ、カウンタ等が、必要に応じて設けられている。ＲＡＭ３４には、ＣＰＵ３２で演算処理した演算結果を収容する各種メモリ、ポインタ、カウンタ等が、必要に応じて設けられている。
【００５０】
次に、制御装置３０で実行される刺繍データ展開制御のルーチンについて、図５フローチャートに基づいて説明する。但し、図中の符号Ｓｉ（ｉ＝１１、１２、１３・・・）は各ステップである。この刺繍データ展開制御は、操作パネル１１に表示された複数の模様のうちから所望の模様が選択され、起動停止スイッチ１２が操作されると、縫製開始に際して、ＲＯＭ３３の刺繍データメモリ３３ａから読み出した刺繍データをＲＡＭ３４の展開メモリ３４ａに展開する刺繍データ展開制御が開始される。
【００５１】
この制御が開始されると、先ず、操作パネル１１を介して選択され、ＲＯＭ３３に記憶されている刺繍データの先頭アドレスが読込みポインタYPにセットされ（Ｓ11）、その読込みポインタYPで指示されるデータが読み込まれる（Ｓ12）。その読み込んだデータがフィードデータでなく、ステッチデータの場合には（Ｓ13：No）、読込みポインタYPが１つインクリメントされ（Ｓ21）、読込みポインタYPで指示するデータが「エンドデータ」でなければ（Ｓ22：No）、Ｓ12以降が繰り返して実行される。
【００５２】
次に、読み込んだデータがフィードデータの場合には（Ｓ13：Yes ）、読込みポインタYPが１つインクリメントされ（Ｓ14）、読込みポインタYPで指示されるデータが読み込まれ（Ｓ15）、その読み込んだデータがフィードデータでない、つまりステッチデータのときには（Ｓ16：No）、ステッチデータカウンタのカウント値ＳＮが１つインクリメントされる（Ｓ23）。
【００５３】
次に、ステッチデータカウント値ＳＮが「４」に達していない場合には（Ｓ24：No）、Ｓ14以降が繰り返して実行される。ステッチデータカウント値ＳＮが「４」に達した場合、つまりフィードデータ間に４針分のステッチデータが存在するため、何らかの刺繍領域の可能性が高い場合には（Ｓ24：Yes ）、ステッチデータカウント値ＳＮがクリアされ（Ｓ25）、Ｓ21以降が実行される。
【００５４】
一方、読み込んだデータがフィードデータの場合には（Ｓ16：Yes ）、ステッチデータカウント値ＳＮが「４」よりも小さい場合であって、次の刺繍領域に移動するための布送りのための針落ちデータである可能性が高いため、フィードデータとフィードデータとの間に挟まれたステッチデータの全てが削除される（Ｓ17）。次に、図４に示すように、削除したステッチデータ以降の各データを先頭アドレス側に移動させる整理処理が実行される（Ｓ18）。
【００５５】
次に、ステッチデータカウント値ＳＮがクリアされ（Ｓ19）、読込みポインタYPで指示するアドレスが、削除したステッチデータの数だけ減算してセットされ（Ｓ20）、Ｓ12以降が繰り返して実行される。ところで、読込みポインタYPで指示するデータが「エンドデータ」の場合には（Ｓ22：Yes ）、この制御を終了する。
【００５６】
次に、刺繍データ展開制御に続けて実行される刺繍データ縫製制御について、図６に基づいて説明する。この制御が開始されると、先ず、ＲＡＭ３４の展開メモリ３４ａに展開された刺繍データの先頭アドレスが読込みポインタYPにセットされ（Ｓ31）、その読込みポインタYPで指示されるデータが読み込まれる（Ｓ32）。その読み込んだデータがフィードデータでなく、ステッチデータの場合には（Ｓ33：No）、針落ちを実行させる縫製処理が実行される（Ｓ44）。
【００５７】
次に、ステッチデータカウント値ＳＮが１つインクリメントされ（Ｓ45）、読込みポインタYPで指示するデータが「エンドデータ」でなければ（Ｓ46：No）、Ｓ32以降が繰り返して実行される。一方、読み込んだデータがフィードデータの場合には（Ｓ33：Yes ）、読込みポインタYPで指示される現在のアドレスの１つ前のアドレスから３つ前までの各アドレスの刺繍データが読み込まれ（Ｓ34）、これら３針分の送り量が非常に小さい止め縫いデータであれば（Ｓ35：Yes ）、Ｓ37にジャンプする。
【００５８】
しかし、止め縫いデータでなければ（Ｓ35：No）、予め記憶している３針分の止め縫いデータが付加され、その止め縫いデータにより止め縫いが実行される（Ｓ36）。次に、糸切りデータか付加され、その糸切りデータが糸切り機構７に出力される（Ｓ37）。このように、糸切り機構７により糸切り動作の実行直前に、止め縫いが実行される。次に、総フィード量として、現在位置に、Ｓ33で読み込んだフィードデータによるフィード量（布送り量）が演算される（Ｓ38）。
【００５９】
次に、ステッチデータカウント値ＳＮが１つインクリメントされ（Ｓ39）、読込みポインタYPで指示されるデータが読み込まれ（Ｓ40）、フィードデータの場合には（Ｓ41：Yes ）、Ｓ38〜Ｓ41が繰り返して実行され、現在位置に対する総フィード量が、Ｘ方向成分とＹ方向成分の夫々に関して累積される。そして、読み込んだデータがフィードデータでなくなったとき、つまり次の刺繍領域の最初のステッチデータの場合には（Ｓ41：No）、総フィード量に基づいて、現在位置であって、最初のフィード開始位置から最後のフィード実行位置まで一気に、つまり最短距離でもって布送りが実行される（Ｓ42）。
【００６０】
次に、次の刺繍領域の刺繍縫い開始に際して、止め縫いが実行される（Ｓ43）。次に、Ｓ44〜Ｓ46が実行され、読込みポインタYPで指示するデータが「エンドデータ」の場合には（Ｓ46：Yes ）、この制御を終了する。
【００６１】
例えば、図４の左側に示すオリジナルの刺繍データ（ＲＯＭ３３に記憶されている刺繍データ）により、図７に示すように、刺繍領域Ｈ１が先に刺繍縫いされ、後から刺繍領域Ｈ２を縫製し、３つのフィードデータ１〜フィードデータ３により布送りを実行してから、最後に刺繍領域Ｈ３が刺繍縫いされる場合に、フィードデータ１〜フィードデータ３で挟まれる２つのステッチデータが予め削除される。
【００６２】
その後、これら削除されたステッチデータ以降の各データを先頭アドレス側に詰めるデータ整理が実行され、展開メモリ３４ａには、図４の右側に示すように、変更された刺繍データが記憶される。但し、３つのフィードデータ１〜フィードデータ３は依然として残存している。
【００６３】
刺繍縫製に際して、刺繍領域Ｈ２が刺繍縫いされた直後に、フィードデータが連続する場合に、止め縫いデータがない場合には、強制的に止め縫いが実行されてから糸切りが実行される。その後、３つのフィードデータ１〜フィードデータ３に基づいて、最初のフィード開始位置H2SEから最後のフィード実行位置H3S1に直接フィード（布送り）が実行される。そして、刺繍領域Ｈ３が最後に刺繍縫いされる。
【００６４】
ここで、縫針６と全回転釜７等で縫製手段が構成され、刺繍枠駆動機構１５等で布送り手段が構成され、制御装置３０に有するＲＯＭ３３の刺繍データメモリ３３ａ等で刺繍データ記憶手段が構成され、刺繍データ展開制御のＳ13、Ｓ16等でフィードデータ抽出手段が構成され、刺繍データ縫製制御のＳ37等で糸切りデータ付加手段が構成され、刺繍データ縫製制御のＳ36、Ｓ37等で止め縫いデータ付加手段が構成され、刺繍データ展開制御のＳ23等で計数手段が構成され、刺繍データ展開制御のＳ24等で検出手段が構成され、刺繍データ展開制御のＳ17等で削除手段が構成され、刺繍データ縫製制御のＳ42等で布送り制御手段が構成されている。
【００６５】
このように、ＲＯＭ３３の刺繍データメモリ３３ａから読み出した刺繍データに基づいて、刺繍縫製の実行中に、各刺繍領域の縫製終了時に、布送りを指示するフィードデータ１を検出した場合には、そのフィードデータ１の直前に糸切りデータがない場合であっても、糸切り機構７により糸切りが実行される。それ故、刺繍データを何ら編集することなく、１つ又は複数のフィードデータにより渡り糸が発生するような場合でも、糸切りさせることにより、渡り糸の発生を確実に防止することができ、糸始末作業の省略化が図れるため、縫製作業の作業性を高めることができる。
【００６６】
また、糸切り機構７による糸切り動作の実行直前に止め縫いを実行させると共に、連続するフィードデータ１〜フィードデータ３に基づく布送り実行直後にも止め縫いを実行させるので、布送りする直前で糸切りされた場合でも、縫い終了位置における止め縫いにより刺繍糸のほつけを確実に防止することができ、しかも布送りフィード実行後の縫い開始位置においても、止め縫いにより刺繍糸のほつけを確実に防止することができる。
【００６７】
更に、連続する複数のフィードデータ１〜３が抽出された場合に、最初のフィードデータ１に基づくフィード開始位置から最後のフィードデータ３に基づくフィード実行位置に、直接布送りさせるので、フィードデータにより布送り途中に迂回するような余分な布送りを回避して最短距離で布送りでき、縫製作業の迅速化を図ることができる。
【００６８】
次に、前記実施の形態の変更形態について説明する。
【００６９】
１〕刺繍データ縫製制御のＳ38で実行する総フィード量演算を、刺繍データ展開制御で実行するようにし、刺繍縫いの開始時の刺繍データには、複数のフィードデータを集約した１つのフィードデータだけを記憶するようにしてもよい。
【００７０】
２〕刺繍データ展開制御で行うフィードデータの検出及び複数のフィードデータ１〜３間に挟まれるステッチデータの削除を、刺繍データ縫製制御により、各刺繍領域の縫製終了時に実行するようにしてもよい。
【００７１】
３〕多数のステッチデータとフィードデータを混在させ、糸切りデータや止め縫いデータを一切含まない刺繍データとして、内蔵のＲＯＭ３３に記憶した刺繍データを用いる以外に、刺繍ミシンＭに着脱可能に構成したＲＯＭカードやフレキシブルディスク等の外部記憶媒体に記憶された刺繍データを用いるようにしてもよい。
【００７２】
４〕前述した実施例においては、多数のステッチデータとフィードデータを混在させた刺繍データについて説明したが、フィードデータに代えて、縫目長さが所定長さ（例えば、１２．８ｍｍ）より長いフィード的なステッチデータが含まれている刺繍データの場合には、そのフィード的なステッチデータを抽出し、またフィード的なステッチデータ間に含まれる縫目形成に供しない不要なステッチデータを削除する等、本願の特徴となる各種の制御を有する刺繍データ縫製制御により、刺繍縫製を行いながら、刺繍領域の刺繍縫い終了毎に、糸切りや止め縫いを実行するようにしてもよい。
【００７３】
５〕本発明は以上説明した実施の形態に限定されるものではなく、当業者でれば、本発明の趣旨を逸脱しない範囲で、前記実施形態に種々の変更を付加して実施することができ、本発明はそれらの変更形態をも包含するものである。
【図面の簡単な説明】
【００７４】
【図１】本発明の実施例に係る刺繍ミシンの斜視図である。
【図２】糸切り機構の底面図である。
【図３】刺繍ミシンの制御系のブロック図である。
【図４】ＲＯＭの刺繍データメモリとＲＡＭの展開メモリに記憶された刺繍データの一部を比較して示す図表である。
【図５】刺繍データ展開制御のフローチャートである。
【図６】刺繍データ縫製制御のフローチャートである。
【図７】オリジナルの刺繍データによる縫製順序を説明する説明図である。
【図８】縫製時における刺繍縫いの様子を説明する説明図である。
【符号の説明】
【００７５】
Ｍ      刺繍ミシン
７      糸切り機構
１５    刺繍枠駆動機構
２１    固定刃部材
２３    可動刃部材
３０    制御装置
３２    ＣＰＵ
３３    ＲＯＭ
３３ａ  刺繍データメモリ
３４    ＲＡＭ
３４ａ  展開メモリ
【図１】
2006034676.tif 000003
【図２】
2006034676.tif 000004
【図３】
2006034676.tif 000005
【図４】
2006034676.tif 000006
【図５】
2006034676.tif 000007
【図６】
2006034676.tif 000008
【図７】
2006034676.tif 000009
【図８】
2006034676.tif 000010